(57)【特許請求の範囲】
【請求項１】
車室部から前方に突出しエンジンルーム左右を車両前後方向に延在するフロントサイドフレームと、
当該エンジンルーム底部に位置して、前輪サスペンションのロアアーム取付け部をなす左右辺部と当該左右辺部を車幅方向に連結する前辺部とで本体部をなし、該本体部の左右にそれぞれ立設されたタワー部の上端部が上記フロントサイドフレームの下面部に締結され、上記左右辺部の後部が車室部前方底部に締結されるサブフレームとを含む車体前部構造であって、
上記サブフレームの左右辺部および前辺部は、それぞれ上側部材と下側部材とを接合して内部中空形状に形成されており、
上記タワー部はロアアームピボットを収容するために外向きコの字断面を有し、
当該タワー部の下部には、車外側に開放した切欠き部をもった節部材が設けられており、
上記左右辺部と前辺部とは、上記タワー部の基部前後方向中間位置の分割部にて前後に連結された
車体前部構造。
【請求項２】
上記分割部は、左右辺部および前辺部の上側部材と下側部材との双方に形成された
請求項１記載の車体前部構造。
【請求項３】
上記タワー部は、その基部の外周が、上記サブフレームの左右辺部の上側部材と下側部材の双方にわたって分割部位置の車外側端部に切り欠かれたサブフレーム切欠部に収容されて結合された
請求項１または２記載の車体前部構造。
【発明の詳細な説明】
【技術分野】
【０００１】
この発明は、車体前部構造に関し、詳しくは、車室部から前方に突出しエンジンルーム左右を車両前後方向に延在するフロントサイドフレームと、当該エンジンルーム底部に位置して、前輪サスペンションのロアアーム取付け部をなす左右辺部と当該左右辺部を車幅方向に連結する前辺部とで本体部をなし、該本体部の左右にそれぞれ立設されたタワー部の上端部が上記フロントサイドフレームの下面部に締結され、上記左右辺部の後部が車室部前方底部に締結されるサブフレームとを含むような車体前部構造に関する。
【背景技術】
【０００２】
一般に、前輪サスペンションを支持するために、サブフレームを設ける必要があり、該サブフレームには、サスペンションアームを支持する関係上、剛性アップが要求されると共に、車両が障害物に衝突した場合、サブフレームが衝突による衝撃を吸収して、車両全体の衝撃低減を図ることも要求されている。
【０００３】
このような要求を達成するために、既に特許文献１に開示された車体前部構造が発明されている。  
すなわち、車室部から前方に突出してエンジンルームの左右を車両前後方向に延在するフロントサイドフレームと、当該エンジンルームの底部に位置して、前輪サスペンションのロアアーム取付け部をなす左右辺部と当該左右辺部を車幅方向に連結する前辺部とで本体部をなし、該本体部の左右にそれぞれ立設されたタワー部の上端部が上記フロントサイドフレームの下面部に締結され、上述の左右辺部の後部が車室部前方底部に締結されるサブフレームと、を含むものである。
【０００４】
上記特許文献１に開示された車体前部構造においては、さらに、上記前辺部の左右に当該前辺部それ自体を補強する隔壁を設けると共に、左右辺部の前後方向中間にも隔壁を設け、内部中空形状に形成された本体部内において上記隔壁間に発泡材を充填したものである。  
そして、発泡材の充填によりサブフレームの剛性アップを図りつつ、内部中空構造により衝撃時における衝撃吸収性の向上を図っている。
【０００５】
しかしながら、上記特許文献１に開示された従来構造においては、左右辺部の上部と前辺部の上部とが一枚物パネルで一体形成された上側部材と、左右辺部の下部と前辺部の下部とが一枚物パネルで一体形成された下側部材とを設け、これら上側部材と下側部材とを上下に接合してサブフレーム本体部が形成されているので、車両前突時において衝撃エネルギ吸収の充分な増大を図ることができない問題点があった。
【先行技術文献】
【特許文献】
【０００６】
【特許文献１】特開２００５−２５５０６８号公報
【発明の概要】
【発明が解決しようとする課題】
【０００７】
そこで、この発明は、車両前突時に、前輪サスペンションのロアアーム取付け部でサブフレームの潰れを確実に発生させて、衝撃エネルギの吸収を増大させることができる車体前部構造の提供を目的とする。
【課題を解決するための手段】
【０００８】
この発明による車体前部構造は、車室部から前方に突出しエンジンルーム左右を車両前後方向に延在するフロントサイドフレームと、当該エンジンルーム底部に位置して、前輪サスペンションのロアアーム取付け部をなす左右辺部と当該左右辺部を車幅方向に連結する前辺部とで本体部をなし、該本体部の左右にそれぞれ立設されたタワー部の上端部が上記フロントサイドフレームの下面部に締結され、上記左右辺部の後部が車室部前方底部に締結されるサブフレームとを含む車体前部構造であって、上記サブフレームの左右辺部および前辺部は、それぞれ上側部材と下側部材とを接合して内部中空形状に形成されており、上記タワー部はロアアームピボットを収容するために外向きコの字断面を有し、当該タワー部の下部には、車外側に開放した切欠き部をもった節部材が設けられており、上記左右辺部と前辺部とは、上記タワー部の基部前後方向中間位置の分割部にて前後に連結されたものである。
【０００９】
上記構成によれば、サブフレームの左右辺部および前辺部を内部中空形状に形成すると共に、ロアアームピボットを収容する外向きコの字断面のタワー部基部における上記分割部にて、左右辺部と前辺部とを前後に分割したので、車両前突時において前輪サスペンションのロアアーム取付け部でサブフレームの潰れを確実に発生させて、衝撃エネルギの吸収を増大させることができる。  
また、上記節部材を設けることで、通常時（非前突時）にはタワー部下部の剛性を確保しつつ、前突時には節部材の切欠き部により、当該節部材の変形を促進し、前突時におけるサブフレームの確実な潰れを確保することができる。  
つまり、切欠き部を有する節部材と、上記分割部を備えたサブフレームの本体部との協働により潰れの促進を図ることができる。
【００１０】
この発明の一実施態様においては、上記分割部は、左右辺部および前辺部の上側部材と下側部材との双方に形成されたものである。
【００１１】
上記構成によれば、上記分割部を左右辺部と前辺部とのそれぞれの上下両側部材に形成したので、前突時における前輪サスペンションのロアアーム取付け部でのサブフレームの潰れをより一層確実に発生させて、衝撃エネルギ吸収をさらに増大させることができる。
【００１２】
この発明の一実施態様においては、上記タワー部は、その基部の外周が、上記サブフレームの左右辺部の上側部材と下側部材の双方にわたって分割部位置の車外側端部に切り欠かれたサブフレーム切欠部に収容されて結合されたものである。
【００１３】
上記構成によれば次の如き効果がある。  
すなわち、本来ならば、上側部材と下側部材との各フランジ部を結合して強度が上がってしまうところ、分割部位置の車外側端部を上下両側部材の双方にわたって切り欠いて、車両前後方向の潰れに弱い断面外向きコの字状のタワー部を、サブフレーム切欠部に埋め込む構造とすることで、分割部での折れが阻害されることを回避し、さらに、タワー部の基部外周が分割部において上側部材と下側部材との双方に結合されることにより、上記タワー部の静剛性向上を図ることができる。
【発明の効果】
【００１４】
この発明によれば、左右辺部と前辺部とを、タワー部の基部前後方向中間位置の分割部にて前後に連結したので、車両前突時に、前輪サスペンションのロアアーム取付け部でサブフレームの潰れを確実に発生させて、衝撃エネルギの吸収を増大させることができる効果がある。
【図面の簡単な説明】
【００１５】
【図１】本発明の車体前部構造を示す側面図
【図２】車体前部構造を示す底面図
【図３】図１のＡ−Ａ線矢視に相当する車両右側の平面図
【図４】図１のＢ−Ｂ線矢視に相当する車両右側の平面図
【図５】車両右側の要部拡大側面図
【図６】車体前部構造を左前方上方から見た状態で示す斜視図
【図７】車体前部構造を左前方から見た状態で示す斜視図
【図８】車体前部構造を右後方下方から見た状態で示す斜視図
【図９】車体前部構造を右前方下方から見た状態で示す斜視図
【図１０】タワー部とスタビライザ支持台座の構造を示す斜視図
【図１１】図１のＣ−Ｃ線矢視断面図
【図１２】図５のＧ−Ｇ線矢視に沿う平面図
【図１３】図１のＤ−Ｄ線に沿う要部拡大断面図
【図１４】図１のＥ−Ｅ線に沿う要部拡大断面図
【図１５】ガセット部材を示し、（ａ）は斜視図、（ｂ）は側面図、（ｃ）は平面図、（ｄ）は底面図、（ｅ）は正面図、（ｆ）は背面図
【図１６】車両前突時におけるサブフレームの変形状態を示す説明図
【発明を実施するための形態】
【００１６】
車両前突時に、前輪サスペンションのロアアーム取付け部でサブフレームの潰れを確実に発生させて、衝撃エネルギの吸収を増大させるという目的を、車室部から前方に突出しエンジンルーム左右を車両前後方向に延在するフロントサイドフレームと、当該エンジンルーム底部に位置して、前輪サスペンションのロアアーム取付け部をなす左右辺部と当該左右辺部を車幅方向に連結する前辺部とで本体部をなし、該本体部の左右にそれぞれ立設されたタワー部の上端部が上記フロントサイドフレームの下面部に締結され、上記左右辺部の後部が車室部前方底部に締結されるサブフレームとを含む車体前部構造において、上記サブフレームの左右辺部および前辺部は、それぞれ上側部材と下側部材とを接合して内部中空形状に形成されており、上記タワー部はロアアームピボットを収容するために外向きコの字断面を有し、当該タワー部の下部には、車外側に開放した切欠き部をもった節部材が設けられており、上記左右辺部と前辺部とは、上記タワー部の基部前後方向中間位置の分割部にて前後に連結されるという構成にて実現した。
【実施例】
【００１７】
この発明の一実施例を以下図面に基づいて詳述する。  
図面は車体前部構造を示し、図１は車体前部構造の車両左側の構成を示す側面図、図２はその底面図、図３は図１のＡ−Ａ線矢視に相当する車両右側の平面図、図４は図１のＢ−Ｂ線矢視に相当する車両右側の平面図、図５は車両右側の要部拡大側面図であり、この実施例の車体前部構造は左右略対称に構成されている。
【００１８】
図１〜図５において、エンジンルーム１と車室２とを車両前後方向に仕切るダッシュロアパネル３（ダッシュパネル）を設けている。図２に示すように、この実施例では駆動方式を前部機関後輪駆動タイプ（ＦＲ）としており、エンジンルーム１にはエンジン４を縦置き配置すると共に、その後部にはトランスミッション５を連結し、該トランスミッション５はフロアトンネル部下方に配設されており、上述のエンジン４とトランスミッション５とでパワートレインを構成している。
【００１９】
図１に示すように、上述のダッシュロアパネル３は上下方向に延びる縦壁部３ａと、この縦壁部３ａの下部から前高後低状に傾斜するスラント部３ｂと、を有し、該スラント部３ｂの下端後方には、車両後方に向けて略水平に延びるフロアパネル６を連設している。  
上述のフロアパネル６の下面部には、その車幅方向の断面が逆ハット形状のフロアフレーム７を接合固定して、このフロアフレーム７とフロアパネル６との間には、車両前後方向に延びる閉断面を形成し、下部車体剛性の向上を図っている。
【００２０】
また、ダッシュロアパネル３のスラント部３ｂの前下部には、キックアップ部フレーム８を接合固定して、このキックアップ部フレーム８とダッシュロアパネル３との間には、閉断面９（図１４参照）を形成している。  
上述のキックアップ部フレーム８の前側下部には、サブフレーム取付け台座１０を接合固定している。このサブフレーム取付け台座１０は、図１４に示すように、取付け台座アウタ１１と、取付け台座インナ１２と、取付け台座ロア１３との３部材から成り、同図に示すように、サブフレーム取付け台座１０とキックアップ部フレーム８との間には、閉断面１４を形成し、サブフレーム取付け剛性の向上を図るように構成している。
【００２１】
図１４に示すように、上述の閉断面１４は後述するスリーブナット３８の配設空間１４ａを有するもので、このため、取付け台座インナ１２は、その上端部１２ａから下端部１２ｂにかけて、キックアップ部フレーム８の車幅方向内側面８ａよりも、車幅方向の内側に膨出する膨出部１２ｃを備えている。
【００２２】
さらに、図１に示すように、ダッシュロアパネル３の縦壁部３ａの前部には、上側フィレット１５と下側フィレット１６との２部材から成るフィレット部材１７を取付けている。  
そして、ダッシュロアパネル３の縦壁部３ａから、フィレット部材１７を介して前方に一直線状に突出しエンジンルーム１左右を車両前後方向に延在するフロントサイドフレーム１８を設けている。  
このフロントサイドフレーム１８は、フロントサイドフレームインナ１８Ａとフロントサイドフレームアウタ１８Ｂとを接合固定して、車両前後方向に延びる閉断面を形成した車体強度部材であって、この実施例では、フロントサイドフレーム１８の車幅方向断面が略十文字筒形状に形成されている。
【００２３】
また、図１〜図３に示すように、フロントサイドフレーム１８、キックアップ部フレーム８、フロアフレーム７が平面視で一直線状に連続するように構成されている。  
さらに、図１，図２に示すように、フロントサイドフレーム１８の前後方向中間部で、かつ車幅方向外側には、前後の脚部１９ａ，１９ｂを介してサスペンションタワー部１９が設けられている。当該サスペンションタワー部１９は前輪用緩衝装置を格納するためのものである。
【００２４】
［サブフレームの構成］
図１〜図５に示すように、エンジンルーム１の底部に位置して、前輪サスペンションを支持するサブフレーム２０を設けている。  
このサブフレーム２０は、前輪サスペンション（ウイッシュボーン・タイプ・サスペンション）のロアアーム２１（図３，図４参照）の取付け部２２，２３をなす左右辺部としての側辺部２４と、左右の各側辺部２４，２４を車両前方側において車幅方向に連結する前辺部２５とで本体部２６（いわゆるサブフレーム本体）をなし、図１，図５に示すように、本体部２６の左右にそれぞれ立設されたタワー部２７，２７の上端部（詳しくは、後述するタワートップ部２９の上端面）が、サスペンションタワー部１９と対応する位置においてフロントサイドフレーム１８の下面部に図示しない締結ボルト等の締結部材を用いて締結されており、左右の側辺部２４の後部が車室部前方底部としてのサブフレーム取付け台座１０（図１４参照）に締結されている。
【００２５】
ここで、上述のタワー部２７は、上下方向に延びる柱部２８と、この柱部２８の上部に位置してフロントサイドフレーム１８に沿って前後方向に柱部２８から突出して延在し前輪サスペンションのアッパアーム３０（図３，図４参照）の取付け部をなすタワートップ部２９と、を備えている。
【００２６】
図６〜図９は、車体前部構造をそれぞれ異なる角度から見た状態で示す斜視図である。  
特に、図７に示すように、サブフレーム２０の側辺部２４は、上側部材２４Ａと下側部材２４Ｂとで内部中空に形成されており、同様に、サブフレーム２０の前辺部２５も、上側部材２５Ａと下側部材２５Ｂとで内部中空に形成されており、平面から見て前辺部２５側の内部中空部と、左右の側辺部２４，２４側の内部中空部とが、後方に開放したコの字状に連続するように形成されている。
【００２７】
そして、図８，図９に示すように、ロアアーム２１の前側の取付け部２２と対応した位置に、側辺部２４と前辺部２５の分割ラインＰＬ（分割部）を形成することで、車両前突時に当該取付け部２２でのサブフレーム２０の潰れを確実に発生させて、衝撃エネルギの吸収を増大するように構成している。  
上述の分割ラインＰＬは、タワー部２７の基部前後方向中間位置に対応して形成された分割部であって、該分割ラインＰＬ（分割部）にて側辺部２４と前辺部２５とを前後に連結すると共に、当該分割ラインＰＬは側辺部２４および前辺部２５の各上側部材２４Ａ，２５Ａと各下側部材２４Ｂ，２５Ｂとの双方に形成されている。
【００２８】
図７に示すように、上述の分割ラインＰＬ（分割部）において、この実施例では、前辺部２５の上側部材２５Ａ後端部の上部に、側辺部２４の上側部材２４Ａ前端部を上側から重合わせて接合すると共に、前辺部２５の下側部材２５Ｂ後端部の上部に、側辺部２４の下側部材２４Ｂ前端部を上側から重合わせて接合しているが、これら上下両部材の上下重合構造は、図７の構造に対して、上下逆に形成してもよい。
【００２９】
さらに、上記タワー部２７は、図７，図８，図９に示すように、その基部の外周が、サブフレーム２０の側辺部２４（但し、この実施例では前辺部２５の左右も含む）の上側部材２４Ａと下側部材２４Ｂとの双方にわたって分割部としての分割ラインＰＬ位置の車外側端部に切り欠かれたサブフレーム切欠部２０Ａに収容されて結合されている。  
上述のサブフレーム切欠部２０Ａは、柱部２８の外向きコの字断面に対応して、上側部材２４Ａ，２５Ａに平面から見て車外側が開放するコの字状に形成されると共に、下側部材２４Ｂ，２５Ｂに底面から見て車外側が開放するコの字状に形成されている。  
なお、この実施例では図２，図７に示すように、上記分割ラインＰＬが、柱部２８の外向きコの字断面、並びに、サブフレーム切欠部２０Ａの前後方向中間に位置して、車幅方向に延びるように形成されている。
【００３０】
上記分割ラインＰＬにおいては、本来ならば上下両部材２４Ａ，２４Ｂ，２５Ａ，２５Ｂのフランジの結合により強度が上がってしまうが、この車外側端部を切り欠いて、サブフレーム切欠部２０Ａを形成し、車両前後方向の潰れに弱い断面外向きコの字状のタワー部２７の柱部２８を当該サブフレーム切欠部２０Ａに埋め込んで収納する構造とすることで、分割ラインＰＬでの折れが阻害されることを回避し、さらに、タワー部２７が分割部において上側部材２４Ａ，２５Ａと下側部材２４Ｂ，２５Ｂとの双方に結合されることにより、タワー部２７の静剛性向上を図ったものである。
【００３１】
［後側ロアアームピボット取付け部の構成］
図１０はタワー部とスタビライザ支持台座の構造を示す斜視図、図１１は図１のＣ−Ｃ線矢視断面図、図１２は図５のＧ−Ｇ線矢視に沿う平面図、図１３は図１のＤ−Ｄ線に沿う要部拡大断面図、図１４は図１のＥ−Ｅ線に沿う要部拡大断面図である。
【００３２】
ロアアーム２１は、図８に示すように、その車幅方向内側にロアアームピボット２１Ｆ，２１Ｒを備えており、前側のロアアームピボット２１Ｆは取付け部２２で枢支され、後側のロアアームピボット２１Ｒは取付け部２３で枢支される。  
上述の後側のロアアームピボット２１Ｒの取付け部２３は、図１，図２に示すように、側面視略Ｚ字状の２つのブラケット３１，３２（ロアアーム後ブラケット）を用いて構成される。
【００３３】
この場合、サブフレーム２０の側辺部２４における車幅方向外側部を、図２，図８に示すように、車両前後方向に略直線状に形成すると共に、側辺部２４を構成する上側部材２４Ａと下側部材２４Ｂとによる前後方向に延びる閉断面３３（図１３，図１４参照）を、エンジンマウント３４を取付ける位置から後端にかけて漸次車幅方向に小さくし、側辺部２４のエンジンマウント３４取付け位置よりも後部は、図１３，図１４に示すように、上側部材２４Ａのみにより車幅方向外側に張り出す庇部３５を形成し、該庇部３５の下方を開放している。  
上述のブラケット３１，３２は、図１に示すように、上壁部３１ａ，３２ａと、縦壁部３１ｂ，３２ｂと、下壁部３１ｃ，３２ｃとを有し、図１に示すように、これら前後の両ブラケット３１，３２を側面視で逆ハット形状に一体的に組合わせたもので、各ブラケット３１，３２の上壁部３１ａ，３２ａを、下方が開放された庇部３５の下面部に締結固定している。
【００３４】
この際、図１３に示すように、前側のブラケット３１の上壁部３１ａは、ボルト３６、ナット３７等の締結部材を用いて、エンジンマウント３４の複数の取付け脚部３４ａ，３４ｂ，３４ｃ（図３，図４参照）のうちの１つの取付け脚部３４ａと共締め固定されており、図１４に示すように、後側のブラケット３２の上壁部３２ａは、サブフレーム取付け台座１０の取付け台座ロア１３の閉断面１４側に予め溶接固定されてなるスリーブナット３８に対して、下方から長尺のボルト３９を締結することで、庇部３５および取付け台座ロア１３と共締め固定されている。
【００３５】
ここで、図８，図１３，図１４に示すように、上述の各ブラケット３１，３２における上壁部３１ａ，３２ａの車幅方向内端には、該内端から下方に一体的に折曲げ形成されたフランジ部３１ｄ，３２ｄを設けており、このフランジ部３１ｄ，３２ｄを側辺部２４の上側部材２４Ａにおける車幅方向外面上部に当接させると共に、各ブラケット３１，３２における下壁部３１ｃ，３２ｃの車幅方向内端には、該内端から車幅方向内方に延びる延長部３１ｅ，３２ｅを一体形成し、図８，図１３に示すように、該延長部３１ｅ，３２ｅを側辺部２４の下側部材２４Ｂの下面部に当接させている。
【００３６】
さらに、図８に示すように、各ブラケット３１，３２における縦壁部３１ｂ，３２ｂの車幅方向外端には、該外端からロアアームピボット２１Ｒの収納空間とは反対方向に折曲がる折曲げ部３１ｆ，３２ｆを一体形成している。  
そして、上述のフランジ部３１ｄ，３２ｄ、延長部３１ｅ，３２ｅ、折曲げ部３１ｆ，３２ｆにより、ブラケット３１，３２それ自体の剛性向上を図って、ロアアーム２１の支持剛性を高めるように構成している。  
なお、図３，図４に示すように、エンジンマウント３４は複数の取付け脚部３４ａ，３４ｂ，３４ｃを有しており、他の取付け脚部３４ｂ，３４ｃは、同図に示すように、サブフレーム２０の側辺部２４に締結部材４１，４２を用いて締結固定されている。  
上述のボルト３６，３９、締結部材４１，４２のそれぞれのボルト挿通孔３６ａ，３９ａ、締結部材挿通孔４１ａ，４２ａを図６，図７に示す。
【００３７】
図１３，図１４に示すように、サブフレーム２０の側辺部２４における閉断面３３と、ロアアーム２１の後側の取付け部２３を構成するブラケット３１，３２とを車幅方向に並設することで、サブフレーム２０の側辺部２４の限られた車幅方向の幅内において、閉断面３３によるサブフレーム剛性と、ブラケット３１，３２の結合スペースの確保と、の両立を図るように構成したものである。
【００３８】
換言すれば、側辺部２４の後部に上側部材２４Ａのみで庇部３５を形成し、この庇部３５の下方を開放し、当該庇部３５の下方空間に閉断面３３と高さ方向で重複するようにブラケット３１，３２を配置することにより、サブフレーム２０の側辺部２４の限られた車幅方向の幅内において、閉断面３３によるサブフレーム剛性と、ブラケット３１，３２の結合スペース確保と、の両立を図るように構成したものである。
【００３９】
また、ロアアーム後ブラケットをサブフレーム側辺部の下部に締結固定する構造と比較して、サブフレーム２０の上下方向の幅、つまり高さ低減を図ることができ、かつ、サブフレーム２０の形成に必要な板部材の面積低減を図ることができると共に、ロアアームピボット２１Ｒを、その軸芯線が車両前後方向に指向する枢軸と成すことができる。
【００４０】
また、図１，図１３に示すように、サブフレーム２０の側辺部２４における庇部３５に、エンジンマウント３４の取付け脚部３４ａと、ブラケット３１の上壁部３１ａとを共締め固定することで、共締め部分の剛性向上を図りつつ、前後方向の長さが比較的短い側辺部２４の限られた前後方向長さ内において、ブラケット３１の結合スペース確保と、共締めによる結合部材低減との両立を図るように構成したものである。
【００４１】
因に、サブフレーム２０の側辺部２４は、その前後方向長さが比較的短く、この比較的短い前後方向長さ内の限られた占有スペースに、各種部材を取付ける必要がある。  
そこで、前側においては、図１，図１３に示すように、ブラケット３１の上壁部３１ａをエンジンマウント３４の１つの取付け脚部３４ａおよび庇部３５と共締め固定し、後側においては、図１，図１４に示すように、ブラケット３２の上壁部３２ａをボディ側の取付け台座ロア１３および庇部３５に共締め固定することで、側辺部２４の限られた前後方向長さ内において、前後のブラケット３１，３２（ロアアーム後ブラケット）の結合スペース確保と、共締め部分の剛性向上とを、より一層確実に両立すべく構成したものである。
【００４２】
［タワー部の構成］
ところで、上記本体部２６の左右に立設され柱部２８とタワートップ部２９とを有するタワー部２７は、図５，図７，図９，図１０に示すように構成されている。  
すなわち、上述の柱部２８は、上記各図に示すように、前辺部２８ａと車内側辺部２８ｂと後辺部２８ｃとでロアアーム２１の前側のロアアームピボット２１Ｆを収容する外向きコの字断面を有するように形成され、柱部２８の下部におけるコの字断面にて上述のロアアーム２１の取付け部２２が形成されている。換言すれば、柱部２８の下部はロアアーム前ブラケットを兼ねるものである。
【００４３】
また、上述の柱部２８の前辺部２８ａの車幅方向外側と下端部とには、図５，図１０に示すように、前方に延びるフランジ部２８ｄ，２８ｅを一体に折曲げ形成すると共に、柱部２８の後辺部２８ｃの車幅方向外側と下端部とにも、同図に示すように、後方に延びるフランジ部２８ｆ，２８ｇを一体に折曲げ形成している。  
上述のタワートップ部２９は、柱部２８の上部に位置してフロントサイドフレーム１８に沿って前後方向に柱部２８から突出して延在するもので、このタワートップ部２９は、図５，図７，図９，図１０に示すように、車両右側の構成において側面視で逆Ｌ字状のフロント部材４３と、このフロント部材４３に対して略前後対称となり、側面視でＬ字状のリヤ部材４４と、平面視で車外側が開放するコ字状のセンタ部材４５と、タワートップ部２９の上壁および車幅方向内側の側壁を形成する一枚物のアッパ部材４６と、を備えている。
【００４４】
図５，図７，図９，図１０においては車両右側の構成を示す関係上、フロント部材４３が側面視で逆Ｌ字状となり、リヤ部材４４が側面視でＬ字状となるが、車両左側においては図１に示すように、フロント部材４３が側面視でＬ字状となり、リヤ部材４４が側面視で逆Ｌ字状となる。
【００４５】
図５，図９に示すように、上述のフロント部材４３は下壁部４３ａと前壁部４３ｂとを側面視で逆Ｌ字状に一体形成したものであり、上述のリヤ部材４４は下壁部４４ａと後壁部４４ｂとを側面視でＬ字状に一体形成したものであって、これらフロント部材４３およびリヤ部材４４は柱部２８の上部に固定されている。  
また、図５，図９に示すように、上述のセンタ部材４５は、車幅方向内側に位置する側壁部４５ａと、該側壁部４５ａの前後両部から車幅方向外方へ突出する前壁部４５ｂおよび後壁部４５ｃとを、平面視でコ字状に一体形成したものであって、当該センタ部材４５は上述のフロント部材４３およびリヤ部材４４に固定されている。
【００４６】
図８に示すように、前輪サスペンションのアッパアーム３０（いわゆるＡアーム）はその車幅方向内側にアッパアームピボット３０Ｆ，３０Ｒを備えている。  
そして、図５に示すように、上述の各前壁部４３ｂ，４５ｂで前側のアッパアームピボット３０Ｆを枢支するピボット支持部４７を構成すると共に、上述の各後壁部４５ｃ，４４ｂで後側のアッパアームピボット３０Ｒを枢支するピボット支持部４８を構成している。
【００４７】
さらに、図７，図９に示すように、上述のアッパ部材４６は、タワートップ部２９の上端に位置する上壁部４６ａと、この上壁部４６ａの車幅方向内側から下方に延びる側壁部４６ｂと、この側壁部４６ｂの前後方向中間において柱部２８の形状に対応して車幅方向内側に膨出した膨出部４６ｃと、を備え、これら上壁部４６ａ、側壁部４６ｂ、膨出部４６ｃを一枚物パネルで構成している。  
そして、上述のアッパ部材４６を、フロント部材４３、リヤ部材４４、センタ部材４５および柱部２８にそれぞれ固定している。
【００４８】
上述のフロント部材４３、リヤ部材４４、センタ部材４５およびアッパ部材４６の必要最低限の部材にて、前輪サスペンションのアッパアームピボット３０Ｆ，３０Ｒの収容部（ピボット支持部４７，４８参照）を形成し、特に、アッパ部材４６は上壁部４６ａと側壁部４６ｂと膨出部４６ｃとを一枚物パネルにて一体形成することで、部品点数および組付け工数の削減を図りつつ、精度よくアッパアーム３０の支持剛性を確保すべく構成したものである。
【００４９】
［スタビライザの支持構造］
一方、図２，図３，図４，図６に示すように、ねじり剛性の抵抗により片輪のみのバンプ、リバウンド時のロール角を抑制するスタビライザ５０を設けている。このスタビライザ５０は金属製パイプ部材にて形成されている。  
また、上述のスタビライザ５０は車幅方向に延びて、中央部両端部５０ｃから車両後方に向けて屈曲形成されており、その左右両端部５０ａが、図示しないコントロールリンクを介してロアアーム２１の車外側端部近傍上部に取付けられている。
【００５０】
図２に示すように、上述のスタビライザ５０は、その中央部両端部５０ｃがフロントサイドフレーム１８と上下方向に対応する位置において、タワー部２７に支持されているので、次に、図５〜図１０を参照して、スタビライザ５０の支持構造について説明する。
【００５１】
図５に示すように、タワー部２７の上端部前方であって、後述するエクステンションメンバ６０とその下側部が重複する高さ位置に、上記スタビライザ５０を支持するスタビライザ支持台座５１が設けられている。図５に示すように、このスタビライザ支持台座５１はその上側部がエクステンションメンバ６０の上方に配置されている。
【００５２】
図９，図１０に示すように、このスタビライザ支持台座５１は車幅方向外側に位置する外側台座５２と、車幅方向内側に位置する内側台座５３と、を溶接固定して一体化したものである。  
図９，図１０に示すように、外側台座５２は前後方向に延びて、その前端部の上下幅が他部に対して拡大形成された側辺部５２ａと、この側辺部５２ａの前端から車幅方向内側に一体に屈曲形成された台座面部５２ｂと、を有し、この台座面部５２ｂが前低後高状にスラントして前方上向きに指向するように形成されている。
【００５３】
ここで、上述の外側台座５２の側辺部５２ａは、図５，図９，図１０に示すように、タワートップ部２９のフロント部材４３における前壁部４３ｂ前面と、同下壁部４３ａと、柱部２８の前辺部２８ａとに溶接固定されている。  
また、外側台座５２の台座面部５２ｂの上下両位置には、ボルト、ナット等の２組の組付け部材５４，５４を用いて、スタビライザ支持部材５５（いわゆるスタビライザプレート）を取付け、このスタビライザ支持部材５５で、スタビライザブッシュ５５Ｂ（図１，図６参照）を介して、スタビライザ５０の車幅方向端部寄りの所定箇所（中央部両端部５０ｃ）を支持すべく構成している。
【００５４】
さらに、上述の内側台座５３は、図１０に示すように、その前低後高状の前端部５３ａが外側台座５２における台座面部５２ｂの背面に溶接固定されると共に、内側台座５３の上端部から後端部にかけて連続形成されたフランジ部５３ｂが、タワートップ部２９のアッパ部材４６における側壁部４６ｂに溶接固定されている。  
つまり、上述のスタビライザ支持台座５１は、サブフレーム２０のタワー部２７におけるタワートップ部２９のピボット支持部４７と柱部２８との間に跨って結合されており、当該スタビライザ支持台座５１によりサブフレーム２０の柱部２８を補強し、柱部２８上部の剛性向上を図るように構成したものである。
【００５５】
［エクステンションメンバの構成］
図５，図６，図７に示すように、サブフレーム２０におけるタワー部２７の高さ方向中程部位から前方に延びる左右一対のエクステンションメンバ６０を設けている。図６，図７に示すように、該エクステンションメンバ６０は、車幅方向の断面が下向き凹状のアッパメンバ６１と、車幅方向の断面が上向き凹状のロアメンバ６２とを接合固定して車両の略前後方向に延びる閉断面６３を有する閉断面部材である。
【００５６】
詳しくは、上述のエクステンションメンバ６０はその後端部６０ａが柱部２８に溶接手段にて結合され、フロントサイドフレーム１８（図１参照）の下方位置において車両前方に延びるもので、当該エクステンションメンバ６０はその中心線が後端部６０ａから上記スタビライザ支持台座５１を避けるように一旦車幅方向内側に迂回し、迂回部６４から再び車幅方向外側に屈曲して変位しながら前方に突出するものであり、車両の前突時には、該エクステンションメンバ６０と上述のフロントサイドフレーム１８とが協働して変形し、衝撃を吸収するように構成されている。
【００５７】
さらに詳しくは、図７，図１２に示すように、エクステンションメンバ６０はその後端部６０ａおいて長手方向の中心線ＣＬ１が、上述のタワー部２７における柱部２８の立設方向の中心線ＣＬ２よりも車幅方向内側に位置するように結合されており、前突荷重入力時には、タワー部２７が捩れて、エクステンションメンバ６０の後端部６０ａ（つまり根元部）が折れることなく、該エクステンションメンバ６０はその迂回部６４（つまり、後端部６０ａよりも前方に位置して一旦車幅方向内側に屈曲して再び車幅方向外側に変位する部分）で、車幅方向の内側に曲がる折れ変形、すなわち、内折れが誘発され、衝突形態によらず確実に内折れさせるように構成している。
【００５８】
この実施例では、図４，図６，図７，図１２に示すように、エクステンションメンバ６０の後端部６０ａの車幅方向外側には切欠部６５が形成されており、この切欠部６５が上述のタワー部２７における柱部２８のコの字断面の前辺部２８ａと車内側辺部２８ｂとの双方に合致して溶接されていて、これにより、溶接線部を長くとり、当該エクステンションメンバ６０の後端部６０ａの溶接剥離および折れをより一層確実に防止して、迂回部６４を起点とするエクステンションメンバ６０の内折れをさらに確実なものとしている。
【００５９】
さらに、図１２に平面図で示すように、上述のエクステンションメンバ６０の閉断面６３は、後端結合部で大きく、前方の迂回部６４に向けて細り、迂回部６４から再び車幅方向外側に屈曲して変位しながら前方に突出する部分では閉断面６３が再び大きくなるように形成されている。  
つまり、エクステンションメンバ６０の閉断面６３は、上述の迂回部６４で最も小さくなるように形成されており、車両前突時のエクステンションメンバ６０の内折れを促進するように構成している。
【００６０】
ここで、上述のエクステンションメンバ６０は、その平面視においては上記迂回部６４で閉断面６３が細るものの、図１，図５に側面図で示すように、その上下方向の幅は後端から前端にかけて略同等に形成されており、また、当該エクステンションメンバ６０は、図１に示すように、フロントサイドフレーム１８の下方位置において後端から前端にかけて略水平に延びるように形成されている。
【００６１】
換言すれば、上述のエクステンションメンバ６０は、図1に示すように、その前端から後端にかけて略水平に延び、エクステンションメンバ６０の後部が下方に向けて湾曲しないように形成されたものである。
【００６２】
［フロントサイドフレームとエクステンションメンバの連結構造］
図１〜図４に示すように、上述の左右一対の各フロントサイドフレーム１８，１８の前端部にはセットプレート６６，６６をそれぞれ取付ける一方、左右一対の各エクステンションメンバ６０，６０の前端部相互間には、車幅方向に延びる連結プレート６７を横架しており、セットプレート６６の下端折曲げ部６６ａと、エクステンションメンバ６０前端位置に対応する連結プレート６７の上端折曲げ部６７ａとを、ボルト、ナット等の締結部材６８を用いて、締結固定している。  
上述のエクステンションメンバ６０の前端部には、連結プレート６７およびブラケット６９を介して、車幅方向の断面が８角筒状のサブクラッシュカン７０を取付ける一方、上述のフロントサイドフレーム１８の前端部には、セットプレート６６およびブラケットを介して図示しないメインクラッシュカンを取付け、図１に側面図で示すように、フロントサイドフレーム１８とエクステンションメンバ６０とは、車両の前突時にそれぞれの前端のメインクラッシュカン（図示せず）およびサブクラッシュカン７０が潰れた後に同期して変形し始めるように、各々の前端位置が設定されている。ここで、上述の連結プレート６７は車幅方向に複数に分割形成してもよい。
【００６３】
［タワー部内の節部材の構成］
ところで、図５，図９，図１１に示すように、サブフレーム２０におけるタワー部２７のコの字断面の柱部２８内には、合計３つの節部材７１，７２，７３を接合固定している。  
これらの各節部材７１，７２，７３は、図５に示すように、柱部２８の前辺部２８ａと後辺部２８ｃとの間にわたるように設けられており、節部材７１（第１節部材）は、図１１に示すように、コの字断面の柱部２８の開放側（車幅方向外側寄り）に設けられ、該節部材７１は、上下方向に延びる縦壁部７１ａと、この縦壁部７１ａの上下両端から車幅方向内方に一体に屈曲形成された上下の屈曲部７１ｂ，７１ｃとを有し、柱部２８の口開き変形を防止すると共に、剛性向上を図るものである。
【００６４】
節部材７２（第２節部材）は、エクステンションメンバ６０の後端部６０ａの上下位置と対応する高さ位置において柱部２８のコの字断面内２８の内奥（車幅方向内側）に設けられ、該節部材７２は、上下方向に延びる縦壁部７２ａと、この縦壁部７２ａの上下両端から車幅方向内方に一体に屈曲形成された上壁部７２ｂ、下壁部７２ｃとを有し、これら上壁部７２ｂおよび下壁部７２ｃを柱部２８の車内側辺部２８ｂに溶接接合し、柱部２８の車内側辺部２８ｂと節部材７２との間には、前後方向に延びる閉断面７４を形成し、通常時における柱部２８の剛性向上を図ると共に、車両前突時における前突荷重のサブフレーム２０に対する伝達率向上を図るように構成している。
【００６５】
また、図５に示すように、上述の縦壁部７２ａはその前端部の上下幅に対して後端部の上下幅が広く形成されると共に、下壁部７２ｃは前高後低状に傾斜するように形成されており、前突時に、エクステンションメンバ６０からの入力荷重を後方に伝達すべく構成している。
【００６６】
節部材７３（第３節部材）は、コの字断面の柱部２８内の底部において前述の分割ラインＰＬと対応するように設けられており、この節部材７３は、その前後方向中間部で、かつ車幅方向外側に開放する切欠き部（脆弱部）としてのＶ溝７３ａを有する所謂Ｖ字節である。  
上述の節部材７３を設けることで、通常時（非前突時）におけるタワー部２７下部の剛性を確保しつつ、前突時には節部材７３の切欠き部としてのＶ溝７３ａにより、当該節部材７３の変形を促進し、前突時におけるサブフレーム２０の確実な潰れを確保すべく構成したものである。  
上述の節部材７３は分割部としての分割ラインＰＬと対応する位置に設けられており、切欠き部であるＶ溝７３ａを有する節部材７３と、分割ラインＰＬを備えたサブフレーム２０の本体部２６との協働により、該サブフレーム２０の潰れの促進を図るように構成している。
【００６７】
［前突荷重伝達構造］
さらに、図４，図５，図１２に示すように、タワー部２７における柱部２８の後辺部２８ｃと、分割ラインＰＬ直後のサブフレーム２０における側辺部２４の上側部材２４Ａとの間を連結するガセット部材７５を設け、このガセット部材７５の前部上側を図５に示すように節部材７２と上下方向でオーバラップさせると共に、ガセット部材７５の前部上側を図４，図１２に示すように、エクステンションメンバ６０の後端部６０ａと車幅方向でオーバラップさせている。
【００６８】
そして、図５に示すように、エクステンションメンバ６０の後部と、柱部２８内の節部材７２と、タワー部２７基部背面のガセット部材７５とが、後ろ斜め下方向に列状に連続して配置されており、前突荷重をサブフレーム２０に伝達し、荷重分散を図るように構成している。  
上述の各要素６０，２８，７２，７５の後ろ斜め下方向に向く列状連続配置構成に加えて、ガセット部材７５の節部材７２およびエクステンションメンバ６０との上記オーバラップ構造により、前突荷重をサブフレーム２０に対してより一層確実に伝達すべく構成したものである。
【００６９】
図１５はガセット部材７５を単品で示す図であって、図１５の（ａ）はガセット部材７５の斜視図、図１５の（ｂ）はガセット部材７５の側面部、図１５の（ｃ）はガセット部材７５の平面図、図１５の（ｄ）はガセット部材７５の底面図、図１５の（ｅ）はガセット部材７５の正面図、図１５の（ｆ）はガセット部材７５の背面図である。  
この実施例では、上述のガセット部材７５は、板材を折曲げ加工した３面部以上の面部を備えた多面構造体の一例として、４面構造体により構成している。
【００７０】
図１５に示すように、当該ガセット部材７５は、車幅方向内側に位置する略三角形状の内側壁７６と、この内側壁７６に稜線ａを介して連設された略三角形状の後壁７７と、この後壁７７に稜線ｂを介して連設され、車幅方向外側に位置する逆台形状の外側壁７８と、この外側壁７８に稜線ｃを介して垂設された略三角形状の縦壁７９と、を一体形成してなる４面構造体である。
【００７１】
そして、図５，図６，図７，図１２に示すように、後壁７７の上端部７７ａおよび外側壁７８の上端部７８ａを、タワー部２７におけるコの字断面の柱部２８の後辺部２８ｃに溶接固定し、内側壁７６の下部７６ｂと、後壁７７の下部７７ｂと、縦壁７９の後部７９ｂとを、サブフレーム２０における側辺部２４の上側部材２４Ａに溶接固定したものである。  
なお、図中、矢印Ｆは車両前方を示し、矢印Ｒは車両後方を示し、矢印ＩＮは車幅方向の内方を示し、矢印ＯＵＴは車幅方向の外方を示し、矢印ＵＰは車両上方を示す。
【００７２】
図示実施例は上記の如く構成するものにして、以下作用を説明する。  
フロントサイドフレーム１８とエクステンションメンバ６０とは、車両の前突時にそれぞれの前端のメインクラッシュカン（図示せず）およびサブクラッシュカン７０が潰れた後に同期して変形を開始し、フロントサイドフレーム１８とエクステンションメンバ６０とが協働して変形し衝撃を吸収する。
【００７３】
この場合、エクステンションメンバ６０の後端部６０ａの長手方向の中心線ＣＬ１が、図１２に示すように、タワー部２７の立設方向の中心線ＣＬ２よりも車幅方向内側に位置するように結合されると共に、エクステンションメンバ６０の後端部６０ａの切欠部６５が、タワー部２７における柱部２８の前辺部２８ａと車内側辺部２８ｂとの双方に合致して溶接されているので、前突荷重の入力時においてはタワー部２７が捩れ、エクステンションメンバ６０の後端部６０ａが折れたり、溶接部が剥離したりすることなく、該エクステンションメンバ６０はその迂回部６４で内折れが誘発され、衝突形態によらず確実に内折れ変形して、衝撃を吸収する。  
またサブフレーム２０の側辺部２４と前辺部２５との分割ラインＰＬを、図５，図１２に示すように、ロアアーム２１の取付け部２２の位置と合致させることで、前突時には、図１６に実線で示すノーマルな状態から同図に仮想線で示すように、分割ラインＰＬが上方に変位すべくサブフレーム２０を確実に潰して、衝撃を吸収することができる。
【００７４】
このように、上記実施例の車体前部構造は、車室部（ダッシュロアパネル３参照）から前方に突出しエンジンルーム１左右を車両前後方向に延在するフロントサイドフレーム１８と、当該エンジンルーム１底部に位置して、前輪サスペンションのロアアーム取付け部２２，２３をなす左右辺部（側辺部２４参照）と当該左右辺部（側辺部２４）を車幅方向に連結する前辺部２５とで本体部２６をなし、該本体部２６の左右にそれぞれ立設されたタワー部２７の上端部が上記フロントサイドフレーム１８の下面部に締結され、上記左右辺部（側辺部２４）の後部が車室部前方底部（サブフレーム取付け台座１０参照）に締結されるサブフレーム２０とを含む車体前部構造であって、上記サブフレーム２０の左右辺部（側辺部２４）および前辺部２５は、それぞれ上側部材２４Ａ，２５Ａと下側部材２４Ｂ，２５Ｂとを接合して内部中空形状に形成されており、上記タワー部２７はロアアームピボット２１Ｆを収容するために外向きコの字断面を有し、当該タワー部２７の下部には、車外側に開放した切欠き部（Ｖ溝７３ａ参照）をもった節部材７３が設けられており、上記左右辺部（側辺部２４）と前辺部２５とは、上記タワー部２７の基部前後方向中間位置の分割部（分割ラインＰＬ参照）にて前後に連結されたものである（図１，図７，図８参照）。
【００７５】
この構成によれば、サブフレーム２０の左右辺部（側辺部２４）および前辺部２５を内部中空形状に形成すると共に、ロアアームピボット２１Ｆを収容する外向きコの字断面のタワー部２７基部における上記分割部（分割ラインＰＬ）にて、左右辺部（側辺部２４）と前辺部２５とを前後に分割したので、車両前突時において前輪サスペンションのロアアーム取付け部２２でサブフレーム２０の潰れを確実に発生させて、衝撃エネルギの吸収を増大させることができる。  
また、上記節部材７３を設けることで、通常時（非前突時）にはタワー部２７下部の剛性を確保しつつ、前突時には節部材７３の切欠き部（Ｖ溝７３ａ）により、当該節部材７３の変形を促進し、前突時におけるサブフレーム２０の確実な潰れを確保することができる。  
つまり、切欠き部（Ｖ溝７３ａ）を有する節部材７３と、上記分割部（分割ラインＰＬ）を備えたサブフレーム２０の本体部２６との協働により潰れの促進を図ることができる。
【００７６】
この発明の一実施形態においては、上記分割部（分割ラインＰＬ参照）は、左右辺部（側辺部２４）および前辺部２５の上側部材２４Ａ，２５Ａと下側部材２４Ｂ，２５Ｂとの双方に形成されたものである（図７参照）。
【００７７】
この構成によれば、上記分割部（分割ラインＰＬ）を左右辺部（側辺部２４）と前辺部２５とのそれぞれの上下両側部材２４Ａ，２４Ｂ，２５Ａ，２５Ｂに形成したので、前突時における前輪サスペンションのロアアーム取付け部２２でのサブフレーム２０の潰れをより一層確実に発生させて、衝撃エネルギ吸収をさらに増大させることができる。
【００７８】
この発明の一実施形態においては、上記タワー部２７は、その基部の外周が、上記サブフレーム２０の左右辺部（側辺部２４）の上側部材２４Ａと下側部材２５Ａの双方にわたって分割部（分割ラインＰＬ）位置の車外側端部に切り欠かれたサブフレーム切欠部２０Ａに収容されて結合されたものである（図７，図８参照）。
【００７９】
この構成によれば次の如き効果がある。  
すなわち、本来ならば、上側部材と下側部材との各フランジ部を結合して強度が上がってしまうところ、分割部（分割ラインＰＬ）位置の車外側端部を上下両側部材２４Ａ，２５Ａ，２４Ｂ，２５Ｂの双方にわたって切り欠いて、サブフレーム切欠部２０Ａを形成し車両前後方向の潰れに弱い断面外向きコの字状のタワー部２７（詳しくは柱部２８の下部）を、当該サブフレーム切欠部２０Ａに埋め込む構造とすることで、分割部（分割ラインＰＬ）での折れが阻害されることを回避し、さらに、タワー部２７の基部外周（詳しくは、柱部２８の基部外周）が分割部（分割ラインＰＬ）において上側部材２４Ａ，２５Ａと下側部材２４Ｂ，２５Ｂとの双方に結合されることにより、上記タワー部２７の静剛性向上を図ることができる。
【００８０】
この発明の構成と、上述の実施例との対応において、
この発明の車室部は、実施例のダッシュロアパネル３に対し、
以下同様に、
車室部前方底部は、サブフレーム取付け台座１０に対応し、
ロアアーム取付け部は、取付け部２２，２３に対応し、
左右辺部は、側辺部２４に対応し、
分割部は、分割ラインＰＬに対応し、
節部材の切欠き部は、Ｖ溝７３ａに対応するも、
この発明は、上述の実施例の構成のみに限定されるものではない。
【産業上の利用可能性】
【００８１】
以上説明したように、本発明は、車室部から前方に突出しエンジンルーム左右を車両前後方向に延在するフロントサイドフレームと、当該エンジンルーム底部に位置して、前輪サスペンションのロアアーム取付け部をなす左右辺部と当該左右辺部を車幅方向に連結する前辺部とで本体部をなし、該本体部の左右にそれぞれ立設されたタワー部の上端部が上記フロントサイドフレームの下面部に締結され、上記左右辺部の後部が車室部前方底部に締結されるサブフレームとを含む車体前部構造について有用である。
【符号の説明】
【００８２】
１…エンジンルーム
３…ダッシュロアパネル（車室部）
１０…サブフレーム取付け台座（車室部前方底部）
１８…フロントサイドフレーム
２０…サブフレーム
２０Ａ…サブフレーム切欠部
２１Ｆ…ロアアームピボット
２２，２３…取付け部（ロアアーム取付け部）
２４…側辺部（左右辺部）
２４Ａ，２５Ａ…上側部材
２４Ｂ，２５Ｂ…下側部材
２５…前辺部
２６…本体部
２７…タワー部
７３…節部材
７３ａ…Ｖ溝（切欠き部）
ＰＬ…分割ライン（分割部）
【図１】
0006052121.tif 000002
【図２】
0006052121.tif 000003
【図３】
0006052121.tif 000004
【図４】
0006052121.tif 000005
【図５】
0006052121.tif 000006
【図６】
0006052121.tif 000007
【図７】
0006052121.tif 000008
【図８】
0006052121.tif 000009
【図９】
0006052121.tif 000010
【図１０】
0006052121.tif 000011
【図１１】
0006052121.tif 000012
【図１２】
0006052121.tif 000013
【図１３】
0006052121.tif 000014
【図１４】
0006052121.tif 000015
【図１５】
0006052121.tif 000016
【図１６】
0006052121.tif 000017